(57)【要約】【課題】長期間に亘って安定して接続状態を保持できる端子接続構造を提供する。【解決手段】２枚の薄板状の電極端子７ａ，７ｂを重ね合わせ、１枚の金属を折り曲げてなる保持片８で２枚の電極端子７ａ，７ｂを挟み込む端子接続構造において、保持片８の内面に、対向する複数の突起１０を設け、電極端子７ａ，７ｂに突起１０が当接する部分において、電極端子７ａ，７ｂのいずれか一方に突起１０が貫通する挿通穴１１を形成する。【選択図】図１
2008091468.tif 000002
【特許請求の範囲】
【請求項１】
２枚の薄板状の電極端子を重ね合わせ、１枚の金属を折り曲げてなる保持片で前記２枚の電極端子を挟み込む端子接続構造であって、
前記保持片の内面に、対向する複数の突起を設け、
前記電極端子に前記突起が当接する部分において、前記電極端子のいずれか一方に前記突起が貫通する挿通穴を形成したことを特徴とする端子接続構造。
【請求項２】
前記２枚の電極端子に、それぞれ、同数の前記挿通穴を形成したことを特徴とする端子接続構造。
【請求項３】
前記２枚の電極端子の対向する面に、型押し加工を施したことを特徴とする請求項１または２に記載の端子接続構造。
【請求項４】
前記保持片は、前記電極端子からはみ出して延伸し、他の電路を接続するための接続部を有することを特徴とする請求項１から３のいずれかに記載の端子接続構造。
【請求項５】
それぞれ前記電極端子を有する複数のキャパシタセルを配列し、隣り合うセルの前記電極端子を前記保持片で接続して、前記キャパシタセルを直列に接続したことを特徴とする請求項１から４のいずれかに記載の端子接続構造を有する蓄電装置。
【発明の詳細な説明】
【技術分野】
【０００１】
本発明は、端子接続構造および蓄電装置に関する。
【背景技術】
【０００２】
複数のキャパシタセルを容器に内蔵した蓄電装置（電気二重層キャパシタ）が、例えば特許文献１，非特許文献１で提案されている。これらの文献では、複数の大容量のキャパシタを直列接続して蓄電装置を構成する際の課題として、各キャパシタセルの負担電圧を均等化することが指摘されているとともに、直列接続された個々のキャパシタセルに電圧監視制御装置としての並列モニタを接続し、各キャパシタセルの耐電圧の範囲内で最大の充電ができるようにした技術が開示されている（ＥＣａＳＳ：登録商標）。この技術は、高性能な電気二重層キャパシタとその能力を最大限に発揮させる電気回路によって構成されており、ナノゲート・カーボンの開発をはじめとした独自のキャパシタ技術と充電電流を効率的に制御する技術などを組み込んだ電子回路との組み合わせによって、これまでにない革新的な蓄電装置を提供し得るものである。
【特許文献１】特開２０００−７８７６５号公報
【特許文献２】特開２００２−２７０２２０号公報
【非特許文献１】岡村迪夫、電気二重層キャパシタと蓄電システム（第２版）、日刊工業新聞社
【０００３】
このような並列モニタを有する蓄電装置では、複数のキャパシタセルを直列に接続する必要がある。また、各キャパシタセルを対応する制御回路と電気的に接続しなければならない。そして、キャパシタセルから導出された電極端子はアルミニウムなどの良導電性の材料で形成されており、それは長期間持続的に圧力を加えると塑性変形（コールドフロー）し易いという特性を有する。したがって、長期間に亘って安定した特性を維持するために、電極端子の接続には特別の工夫を要する。
【発明の開示】
【発明が解決しようとする課題】
【０００４】
そこで、本発明は、キャパシタセルなどの電極端子を確実に接続するとともに、長期間に亘って安定して接続状態を保持できる端子接続構造およびそのような端子接続構造を備えた蓄電装置を提供することを課題とする。
【課題を解決するための手段】
【０００５】
前記課題を解決するために、本発明による端子接続構造は、２枚の薄板状の電極端子を重ね合わせ、１枚の金属を折り曲げてなる保持片で前記２枚の電極端子を挟み込む端子接続構造であって、前記保持片の内面に、対向する複数の突起を設け、前記電極端子に前記突起が当接する部分において、前記電極端子のいずれか一方に前記突起が貫通する挿通穴を形成したものとする。
【０００６】
この構成によれば、保持片の対向する突起がいずれか１枚の電極端子に両側から食い込み、電極端子が保持片に対して位置ずれしないように固定できる。
【０００７】
また、本発明の端子接続構造において、前記２枚の電極端子に、それぞれ、同数の前記挿通穴を形成してもよい。
【０００８】
この構成によれば、２枚の電極端子に同数の突起を食い込ませるので、２枚の電極端子を略等しい力で保持することができる。
【０００９】
また、本発明の端子接続構造において、前記２枚の電極端子の対向する面に、型押し加工を施してもよい。
【００１０】
この構成によれば、２枚の電極端子の表面に型押し加工によって形成した凹凸が互いに食い込み合うので、電極端子間が互いの位置ずれを規制し合う。
【００１１】
また、本発明の端子接続構造において、前記保持片は、前記電極端子からはみ出して、延伸し、他の電路を接続するための接続部を有してもよい。
【００１２】
この構成によれば、２枚の電極端子を互いに接続しつつ、両者を他の電路に接続することができる。
【００１３】
また、本発明による蓄電装置は、それぞれ前記電極端子を有する複数のキャパシタセルを配列し、隣り合うセルの前記電極端子を前記保持片で接続して、前記キャパシタセルを直列に接続したものとする。
【００１４】
この構成によれば、電極端子の幅を大きく取ることができ接続抵抗を低減しながら、長期に亘って接続状態の安定した蓄電装置が実現できる。
【発明の効果】
【００１５】
本発明によれば、電極端子に挿通穴を形成したことで、保持片の対向する突起がいずれか１枚の電極端子に両側から食い込むので、電極端子をそれぞれ確実に保持して良好な接続状態を維持できる。
【発明を実施するための最良の形態】
【００１６】
これより、本発明の実施形態について図面を参照しながら説明する。
図１に、本発明の第１実施形態の蓄電装置１を示す。蓄電装置１は、フレーム２とカバー３とで閉塞され、電力端子４と制御端子５とが導出されている。
【００１７】
図２に示すように、蓄電装置１の内部には、多数のキャパシタセル６が積層して収容されている。各キャパシタセル６は、例えば、アルミニウムの薄板からなる一対の電極端子７を有するキャパシタである。各キャパシタセル６の２つの電極端子７は、それぞれ、異なる側に隣接するキャパシタセル６の電極端子７と保持片８によって接続され、これにより、すべてのキャパシタセル６が直列に接続されている。
【００１８】
図３に、保持片８による電極端子７の接続状態を示す。保持片８は、１枚の金属板を折り曲げてなり、２枚の電極端子７を重ね合わせた上から挟み込んでいる。また、保持片は、電極端子７から側方にはみ出して延伸する接続部９を有している。接続部９は、ケーブル（電路）に接続した所定の圧着端子と係合可能な接続形状を有している。
【００１９】
図４に、電極端子７および保持片８の詳細形状を示す。保持片８は、金属板を折り曲げてなり、対向する保持部８ａおよび８ｂを有するＶ字形状にて提供され、電極端子７を挟み込んで保持部８ａ，８ｂを狭窄する（かしめる）ことで電極端子７に圧着されるようになっている。また、保持部８ａ，８ｂには、それぞれ、対向する位置に、金属板を内側に打ち出してなる突起１０が複数形成されている。
【００２０】
電極端子７は、重ね合わせ方向により形状の異なる、第１の電極端子７ａまたは、第２の電極端子７ｂからなる。第１の電極端子７ａと第２の電極端子７ｂとは、各突起１０が当接する部分において、いずれか一方に突起１０が貫通する挿通穴１１が形成されている。挿通穴１１は、第１の電極端子７ａおよび第２の電極端子７ｂに同数が形成されるように、規則的に配置されている。
【００２１】
また、第１の電極端子７ａおよび第２の電極端子７ｂの互いに当接し合う面には、ローレットによる型押し加工が施され、ローレット目１２が形成されている。
【００２２】
さらに、図５に、保持片８の突起１０と、電極端子７の挿通穴１１の関係を分かりやすく示す。保持片８に形成した対向し合う突起１０は、いずれか一方が電極端子７ａまたは７ｂの挿通穴１１を貫通し、電極端子７ａ，７ｂのいずれか一方のみに両側から突き刺さる。電極端子７ａ，７ｂの挿通穴１１は、保持片８の長手方向に突起１０を交互に挿通させるように互い違いに配置されている。
【００２３】
図６に示すように、電極端子７ａ，７ｂを挟み込んで、保持部８ａ，８ｂを押圧すると、突起１０が電極端子７ａ，７ｂのいずれか一方の両面に食い込む。蓄電装置１を使用すると、流れる電流により電極端子７ａ，７ｂが発熱するが、電極端子７ａ，７ｂが熱による膨張や収縮を繰り返しても、保持片８に対して滑りを生じることがない。このため、電極端子７ａ，７ｂおよび保持片８を、機械的および電気的に強固な接続状態に長期に亘って保持できる。
【００２４】
また、電極端子７ａ，７ｂの対向する面に、ローレット目１２を形成したことで、ローレット目１２の凹凸が互いに食い込み合い、互いの位置ずれを防止して、電極端子７ａ，７ｂ間の機械的および電気的な接続状態を良好に維持することができる。
【００２５】
保持片８の接続部９は、各キャパシタセル６の電圧を均等にするための制御回路に接続され、キャパシタセル６のバラツキによる能力低下や寿命短縮を防止することができる。
【００２６】
なお、図７に示す第２実施形態のように、本発明において、電極端子７ａ，７ｂに形成する挿通穴１１は、閉じた穴に限られず、一部が開放した切欠状のものを含むことができる。
【図面の簡単な説明】
【００２７】
【図１】本発明の第１実施形態の蓄電装置の斜視図。
【図２】図１の蓄電装置のカバーを外した様子を示す斜視図。
【図３】図２の電極端子および保持片の拡大斜視図。
【図４】図３の電極端子および保持片の分解斜視図。
【図５】図３の電極端子および保持片の圧着前形状を示す断面図
【図６】図５の圧着後を示す部分断面図
【図７】本発明の第２実施形態の端子接続構造を示す分解斜視図。
【符号の説明】
【００２８】
１  蓄電装置
６  キャパシタセル
７ａ，７ｂ  電極端子
８  保持片
９  接続部
１０  突起
１１  挿通穴
１２  ローレット目
【図１】
2008091468.tif 000003
【図２】
2008091468.tif 000004
【図３】
2008091468.tif 000005
【図４】
2008091468.tif 000006
【図５】
2008091468.tif 000007
【図６】
2008091468.tif 000008
【図７】
2008091468.tif 000009
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
２枚の薄板状の電極端子を重ね合わせ、１枚の金属を折り曲げてなる保持片で前記２枚の電極端子を挟み込んで保持する端子接続構造であって、
前記保持片の内面に、対向する複数の突起の対を設け、
前記電極端子に前記突起の対が当接する部分毎に、前記電極端子のいずれか一方に前記突起が貫通する挿通穴を形成し、前記突起の対が前記電極端子の他方に両側から食い込んで前記電極端子を保持することを特徴とする端子接続構造。
【請求項２】
前記２枚の電極端子に、それぞれ、同数の前記挿通穴を形成したことを特徴とする請求項１に記載の端子接続構造。
【請求項３】
前記２枚の電極端子の対向する面に、型押し加工を施したことを特徴とする請求項１または２に記載の端子接続構造。
【請求項４】
前記保持片は、前記電極端子からはみ出して延伸し、他の電路を接続するための接続部を有することを特徴とする請求項１から３のいずれかに記載の端子接続構造。
【請求項５】
それぞれ前記電極端子を有する複数のキャパシタセルを配列し、隣り合うセルの前記電極端子を前記保持片で接続して、前記キャパシタセルを直列に接続したことを特徴とする請求項１から４のいずれかに記載の端子接続構造を有する蓄電装置。
【手続補正２】
【補正対象書類名】明細書
【補正対象項目名】０００５
【補正方法】変更
【補正の内容】
【０００５】
前記課題を解決するために、本発明による端子接続構造は、２枚の薄板状の電極端子を重ね合わせ、１枚の金属を折り曲げてなる保持片で前記２枚の電極端子を挟み込んで保持する端子接続構造であって、前記保持片の内面に、対向する複数の突起の対を設け、前記電極端子に前記突起の対が当接する部分毎に、前記電極端子のいずれか一方に前記突起が貫通する挿通穴を形成し、前記突起の対が前記電極端子の他方に両側から食い込んで前記電極端子を保持するものとする。